(57)【特許請求の範囲】
【請求項１】
平行に配置された第１及び第２の電極と、該第１及び第２の電極に対して直交する形で配置された第３の電極とを有する表示パネルを備え、アドレス工程で前記第２と第３の電極に印加する走査パルスとアドレス信号により放電セルの選択を行い、維持放電工程で前記第１と第２の電極に維持放電パルスを印加して維持放電を行わせるプラズマディスプレイ装置であって、隣接する前記第１の電極と前記第２の電極の組に交互に逆相の維持放電パルスを印加することにより、前記第２の電極と該第２の電極の一方の側の前記第１の電極との間で第１のスリットが形成され、前記第２の電極と該第２の電極の他方の側の前記第１の電極との間で第２のスリットが形成され、前記第１のスリットと前記第２のスリットで発光表示を交互に繰り返すインターレース表示を行うプラズマディスプレイ装置の駆動方法であって、
前記維持放電工程の後に、前記第１及び第２のスリットのそれぞれの奇数番目と偶数番目のスリットのいずれか発光回数の少ないスリットに対して、発光回数を揃えるための発光回数調整工程を設けたことを特徴とするプラズマディスプレイ装置の駆動方法。
【請求項２】
請求項１に記載のプラズマディスプレイ装置の駆動方法であって、
前記発光回数調整工程を実施する直前の前記維持放電パルスの幅は他の維持放電パルスの幅より長いプラズマディスプレイ装置の駆動方法。
【請求項３】
請求項１に記載のプラズマディスプレイ装置の駆動方法であって、
前記発光回数調整工程により放電を起こす以外のスリットには、前記維持放電工程で形成された壁電荷による電圧と逆極性のパルスを印加するプラズマディスプレイ装置の駆動方法。
【請求項４】
請求項３に記載のプラズマディスプレイ装置の駆動方法であって、
前記発光回数調整工程により放電を起こす以外のスリットには、放電を起こすスリットより小さな電圧が印加されるプラズマディスプレイ装置の駆動方法。
【発明の詳細な説明】
【０００１】
【発明の属する技術分野】
本発明は、メモリ機能を有する表示素子であるセルの集合によって構成された表示パネルを駆動する技術に係わり、特にＡＣ（交流）型プラズマディスプレイパネル（Plasma Display Panel:PDP) においてインターレース表示を行う装置に関する。
【０００２】
【従来の技術】
上記のＡＣ型ＰＤＰは、２本の維持電極に交互に電圧波形を印加することで放電を持続し、発光表示を行うものである。一度の放電は、パルス印加直後１μｓから数μｓで終了する。放電によって発生した正電荷であるイオンは、負の電圧が印加されている電極上の絶縁層の表面に蓄積され、同様に負電荷である電子は、正の電圧が印加されている電極上の絶縁層の表面に蓄積される。
【０００３】
従って、初めに高い電圧（書込み電圧）のパルス（書込みパルス）で放電させて壁電荷を生成した後、極性の異なる前回より低い電圧（維持放電電圧）のパルス（維持放電パルス）を印加すると、前に蓄積された壁電荷が重畳され、放電空間に対する電圧は大きくなり、放電電圧のしきい値を越えて放電を開始する。つまり、一度書込み放電を行い、壁電荷を生成した表示セルは、その後、維持放電パルスを交互に逆極性で印加することで、放電を持続するという特徴がある。これをメモリ効果、又はメモリ機能と呼んでいる。一般にＡＣ型ＰＤＰは、このメモリ効果を利用して表示を行うものである。
【０００４】
従来のＡＣ型ＰＤＰでは、維持電極の一方のＸ電極と他方のＹ電極を交互に配列し、奇数番目のＸ電極とＹ電極の間及び偶数番目のＸ電極とＹ電極の間で放電を行わせていた。すなわち、表示セルは、奇数番目のＸ電極とＹ電極の間と偶数番目のＸ電極とＹ電極の間に形成され、奇数番目のＹ電極と偶数番目のＸ電極及び奇数番目のＸ電極と偶数番目のＹ電極の間には形成されなかった。しかし、これでは高精細化及び高輝度化するのが難しいなどの問題があった。そこで、本出願人は、特開平９−１６０５２５号公報で、インターレース走査において、奇数番目のＹ電極と偶数番目のＸ電極及び奇数番目のＸ電極と偶数番目のＹ電極の間にも表示セルを形成することにより高精細化及び高輝度化を図ったＰＤＰを開示している。本発明は、特開平９−１６０５２５号公報に開示されたようなＹ電極が両側のＸ電極との間で放電が行われ、表示セルが形成されるプラズマディスプレイパネル（ＰＤＰ）に適用される。
【０００５】
図１は、上記の特開平９−１６０５２５号公報に開示されたＰＤＰの概要を示すブロック図であり、図２はそのパネルの断面構造であり、図３は１フレームの構成を示す図であり、図４は１サブフィールドで各電極に印加される駆動波形を示すタイムチャートである。これらの図を参照して、本発明が適用されるＰＤＰについて説明する。
【０００６】
図１に示すように、パネル１には、維持放電電極を構成する第１の電極（Ｘ電極）２−１、２−２、…、第２の電極（Ｙ電極）３−１、３−２、…及びアドレス電極４−１、４−２、…が設けられている。図２に示すように、パネル１は、２枚のガラス基板５、６によって構成されている。第１の基板６には、Ｘ電極を構成する透明電極２２−１、…とバス電極２１−１、…、及びＹ電極を構成する透明電極３２−１、３２−２…とバス電極３１−１、３１−２、…が平行に交互に配置されている。基板５が表示面側であり、透明電極は蛍光体９からの反射光を透過させる目的で使用される。しかし透明電極だけでは電圧の降下が大きくなるので、電極抵抗による電圧降下を防ぐ目的でバス電極が設けられる。更に、これらの電極を誘電体で被覆し、放電面には保護膜としてＭｇＯ（酸化マグネシューム）膜を形成する。
【０００７】
また、ガラス基板５と向き合うガラス基板６には、アドレス電極４をＸ及びＹ電極と直交する形で形成する。更に、アドレス電極間には、障壁１０を形成し、その障壁の間には、アドレス電極を覆う形で赤、緑、青の発光特性を持つ螢光体９を形成する。障壁１０の尾根とＭｇＯ膜が密着する形で２枚のガラス基板５、６が組み立てられる。
【０００８】
各電極は、その両側の電極のすきま８で放電することができる。なお、本明細書では、表示のための放電が行われる電極のすきま８を放電スリットと称することとする。すなわち、放電スリットは表示セル又はそのラインに相当する。Ｙ電極はアドレス動作時の表示ラインの選択及び維持放電に主として利用される。アドレス電極は、選択された表示ラインのＹ電極との間で表示の選択を行うためのアドレス放電に主として利用される。Ｘ電極はアドレス動作時に選択されたＹ電極のどちらの側の放電スリットにアドレス放電を発生させるかの選択と維持放電に主として利用される。
【０００９】
図１に示すように、アドレス電極４−１、４−２、…は、１本毎にアドレスドライバ１３に接続され、そのアドレスドライバ１３によってアドレス放電時のアドレスパルスが印加される。また、Ｙ電極は、個別にスキャンドライバ１２に接続される。スキャンドライバ１２は、１ビット毎に、奇数Ｙ電極４−１、４−３、…の駆動用と偶数Ｙ電極４−２、４−４、…の駆動用に分けられ、奇数Ｙサスティン回路１６と偶数Ｙサスティン回路１７に接続されている。アドレス動作時のパルスはスキャンドライバ１２の中で発生し、維持放電パルスなどは奇数Ｙサスティン回路１６及び偶数Ｙサスティン回路１７で発生し、スキャンドライバ１２を経由して各Ｙ電極に印加される。Ｘ電極２−１、２−２、…は、奇数Ｘ電極２−１、２−３、…と偶数Ｘ電極２−２、２−４、…に分けられ、それぞれのグループ毎に奇数Ｘサスティン回路１４と偶数Ｘサスティン回路１５に接続される。これらのドライバ回路は、制御回路１１によって制御され、その制御回路は装置の外部より入力される同期信号や表示データ信号によって制御される。
【００１０】
図３に示すように、上記のＰＤＰにおける１フレームの駆動シーケンスは、奇数フィールドと偶数フィールドに分割され、奇数フィールドでは奇数行の表示を、偶数フィールドでは偶数行の表示をそれぞれ行う。すなわち、奇数フィールドでは、奇数番目のＸ電極とＹ電極の間と偶数番目のＸ電極とＹ電極の間で放電を行い、偶数フィールドでは奇数番目のＹ電極と偶数番目のＸ電極及び奇数番目のＸ電極と偶数番目のＹ電極の間で放電を行う。更に、各フィールドは、いくつかのサブフィールドに分割されている。図３では、８個のサブフィールドＳＦ１、ＳＦ２、…、ＳＦ８に分割した例を示している。各サブフィールドは、表示セルの初期化を行うリセット期間と、表示データの書込み（アドレス）を行うアドレス期間と、アドレスによって壁電荷が形成されたセルのみ繰り返し放電（維持放電）を行い発光するサスティン期間とで構成される。奇数フィールドでは、奇数行（ライン）においてのみアドレス放電及び維持放電が行われ、偶数フィールドでは偶数行においてのみアドレス放電及び維持放電が行われる。なお、表示の輝度は、維持放電期間の長短、つまり維持放電パルスの回数によって決定される。
【００１１】
サブフィールドＳＦ１、ＳＦ２、…、ＳＦ８においては、リセット期間とアドレス期間はそれぞれ同一の長さであり、維持放電期間の長さは、１：２：４：８：１６：３２：６４：１２８の比率になっている。点灯させるサブフィールドの組を選択することで、０から２５５までの２５６段階の輝度の違いを表示できる。
【００１２】
図４は、図１に示すプラズマディスプレイ装置の駆動する波形を示すタイムチャートであり、１サブフィールド期間を示している。この例では、１サブフィールドは、リセット／アドレス期間、更に維持放電期間（サスティン期間）に分割される。リセット期間においては、まず、すべてのＹ電極が０Ｖレベルにされ、同時にＸ電極に電圧Ｖｓ＋Ｖｗ（約３００Ｖ）からなる全面書込みパルスが印加される。このリセット動作は、前のサブフィールドの点灯状態に係わらず、すべての表示セルを同じ状態にする作用があり、次のアドレス（書込み）放電を安定に行うために行われる。
【００１３】
次に、アドレス期間において、表示データに応じた表示セルのオン・オフを行うために、線順次でアドレス放電が行われる。ここで、従来のＰＤＰではすべてのＸ電極は同じ電圧が印加されＹ電極に順に走査パルスを印加するが、図１に示したＰＤＰにおける動作は異なり、アドレス期間は、前半アドレス期間と後半アドレス期間に分割される。例えば、奇数フィールドの前半アドレス期間では、１行目、５行目、…の表示セルのアドレスが行われ、後半アドレス期間では、３行目、７行目、…の表示セルのアドレスが行われ、偶数フィールドの前半アドレス期間では、２行目、６行目、…の表示セルのアドレスが行われ、後半アドレス期間では、４行目、８行目、…の表示セルのアドレスが行われる。
【００１４】
まず、奇数フィールドの前半アドレス期間では、１番目、３番目、…の奇数番目のＸ電極に電圧Ｖｘ（約５０Ｖ）が印加され、２番目、４番目、…の偶数番目のＸ電極に電圧０Ｖが印加され、１番目、３番目、…の奇数番目のＹ電極に走査パルス（−ＶＹ：−１５０Ｖ）を印加する。この時、２番目、４番目、…の偶数番目のＹ電極には電圧０Ｖが印加される。これと共に、アドレス電極に電圧Ｖａ（約５０Ｖ）のアドレスパルスが選択的に印加され、点灯させる表示セルのアドレス電極とＹ電極の間で放電が起きる。次に、この放電をプライミング（種火）として、直ちにＸ電極とＹ電極間の放電が行われる。Ｘ電極にこの時、奇数番目のＸ電極には電圧Ｖｘが印加され、偶数番目のＸ電極には０Ｖが印加されており、上記の放電は電圧Ｖｘが印加された側の放電スリットで行われる。これにより、選択ラインの選択セルのＸ電極とＹ電極上のＭｇＯ膜に維持放電が可能な壁電荷が蓄積する。以上の動作を最後のＹ電極まで行うと、１行目、５行目、…の表示セルのアドレスが行われることになる。
【００１５】
次に、奇数フィールドの後半アドレス期間では、２番目、４番目、…の偶数番目のＸ電極に電圧Ｖｘ（約５０Ｖ）を印加し、１番目、３番目、…の奇数番目のＸ電極に電圧０Ｖを印加し、２番目、４番目、…の偶数番目のＹ電極に走査パルス（−ＶＹ：−１５０Ｖ）を順次印加する。これにより、３行目、７行目、…の表示セルのアドレスが行われることになる。このようにして、奇数フィールドの前半と後半のアドレス期間で、１行目、３行目、５行目、…の奇数番目の表示セルのアドレスが終了する。
【００１６】
次に維持放電期間になると、Ｙ電極とＸ電極に交互に電圧Ｖｓ（約１８０Ｖ）からなる維持放電パルスが印加されて維持放電が行われ、奇数フィールドの１サブフィールドの画像表示が行われる。この時、奇数番目のＸ電極とＹ電極間に印加する電圧と偶数番目のＸ電極とＹ電極間に印加する電圧は逆相であり、奇数番目の放電スリットを囲む奇数番目のＸ電極とＹ電極間及び偶数番目のＸ電極とＹ電極間には電位差Ｖｓが発生するが、偶数番目の放電スリットを囲む奇数番目のＸ電極と偶数番目のＹ電極間及び偶数番目のＸ電極と奇数番目のＹ電極間には電位差Ｖｓが発生しないようにしている。従って、維持放電は奇数番目の表示セルでのみ行われる。
【００１７】
同様に、偶数フィールドでは、偶数番目の表示セルで画像表示が行われる。以上のようにして、Ｙ電極とその両側に隣接するＸ電極の間に表示セルが形成されるため、同じようなパネル構造であっても従来に比べて高精細な表示を行うことが可能になる。
【００１８】
【発明が解決しようとする課題】
上記のように、特開平９−１６０５２５号公報に開示されたＹ電極と両側のＸ電極との間で放電が行われ、表示セルが形成されるＰＤＰでは、前半アドレス期間と後半アドレス期間の後、隣接するスリットで逆相の維持放電パルスを与えて維持放電を行う。図５は、アドレス期間と維持放電期間の間の様子を示す図である。
【００１９】
図５に示すように、従来は後半アドレス期間の後、一旦すべてのＸ電極とＹ電極をゼロレベルとした後、表示を行う隣接するスリット間で交互に逆相の維持放電パルスを印加している。例えば、奇数フィールドで奇数表示スリットで放電を行わせるとした場合、前半アドレス期間で奇数表示スリットのうちの奇数番目のスリット、すなわち４ｎ＋１（但し、ｎは０以上の整数）番目のスリットのアドレスが行われ、後半アドレス期間で奇数表示スリットのうちの偶数番目のスリット、すなわち４ｎ＋３（但し、ｎは０以上の整数）番目のスリットのアドレスが行われる。これにより、Ｘ電極には負の電荷がＹ電極には正の電荷が蓄積される。維持放電期間では、最初に奇数番目のＸ電極に低電位が、偶数番目のＸ電極に高電位が、奇数番目のＹ電極に高電位が、偶数番目のＹ電極に低電位の維持放電パルスが与えられるとする。これに応じて、奇数表示スリットのうちの奇数番目のスリットで、参照番号１０１で示す最初の維持放電が行われる。次に、維持放電パルスが逆転し、奇数番目のＸ電極に高電位が、偶数番目のＸ電極に低電位が、奇数番目のＹ電極に低電位が、偶数番目のＹ電極に高電位になる。これに応じて、奇数表示スリットのうちの奇数番目のスリットで、参照番号１０２で示す維持放電が行われると共に、奇数表示スリットのうちの偶数番目のスリットで、参照番号１０３で示す維持放電が行われる。このように、維持放電期間の最初にどちらの極性の維持放電パルスを与えるかで、表示する奇数表示スリットのうちの奇数番目と偶数番目のどちらのスリットが先に維持放電を開始するかが決定され、他方のスリットは維持放電の開始が遅れる。これは偶数表示スリットについての同様であり、以下の説明では奇数フィールドで奇数表示スリットを表示する例について説明する。
【００２０】
この維持放電の開始の遅れによる影響を図６を参照して説明する。上記のように、Ｔ０で最初の維持放電パルスが立ち上がる。アドレス後の最初の維持放電は放電遅れが大きく、奇数番目の奇数表示スリットでは維持放電がＴ１で開始される。この時、偶数番目の奇数表示スリットでは維持放電は生じない。次に、Ｔ２で維持放電パルスの極性が切り替わり、奇数番目の奇数表示スリットでは２回目の維持放電が直ちに行われるが、偶数番目の奇数表示スリットでは最初の維持放電であるため放電が遅れ、Ｔ４で放電が開始されることになる。
【００２１】
ＰＤＰの輝度は維持放電の回数に関係するため、高輝度のＰＤＰを得るには維持放電パルスの周期を短くする必要がある。そのため、上記のように、最初の維持放電の放電遅れが大きいと、最初の維持放電が終了しないうちに維持放電パルスの極性が切り替わることになる。このようなことが起きると、維持放電によるＸ電極とＹ電極間での電荷の移動が十分に行われず、次回以降の維持放電が行われなくなる恐れがあり、正常な表示が行われなくなる。
【００２２】
また、Ｔ１で最初の維持放電が起きる時に隣接する奇数放電スリットに印加されている維持放電パルスは、蓄積されている壁電荷と逆極性であるため奇数番目の奇数表示スリットでの放電が偶数番目の奇数表示スリットの壁電荷に影響することはない。しかし、Ｔ２で奇数番目の奇数表示スリットで２回目の維持放電が起きた時には、偶数番目の奇数表示スリットに印加される維持放電パルスはすでに切り替わっている。しかも、偶数番目の奇数表示スリットでの最初の維持放電の発生は遅れるので、この間に奇数番目の奇数表示スリットでの２回目の維持放電のために偶数番目の奇数表示スリットの壁電荷が消滅する場合があるという問題が起きた。このような壁電荷の消滅が起きると、維持放電は行われないことになる。従って、正常な表示が行われないことになる。
【００２３】
更に、図５に示すように、維持放電期間では、前半アドレス期間にアドレスされるスリットと後半アドレス期間にアドレスされるスリットの発光回数に１回の差がある。重みの小さなサブフィールドの発光回数は数回であり、１回の差でも階調表示に問題を生じる。
【００２４】
また、維持放電期間の後の消去工程において、電極の電荷の量や極性の影響で消去が不完全になるという問題を生じていた。
【００２５】
本発明は、上記のような問題を解決するための駆動方法であり、隣接するスリットで逆相の維持放電パルスを与えて維持放電を行うことにより、Ｙ電極と両側のＸ電極との間に表示スリットを形成するプラズマディスプレイパネルの駆動方法において、正常な表示が安定して行えるようにすることを目的とする。
【００２６】
【課題を解決するための手段】
上記目的を実現するため、本発明の第１の態様のプラズマディスプレイパネルの駆動方法は、アドレス期間と維持放電期間の間に電荷調整工程を設け、電荷調整パルスを印加する。また、本発明の第２の態様のプラズマディスプレイパネルの駆動方法は、維持放電期間の後に発光回数調整工程を設け、発光回数の少ない表示ライン（表示スリット）に対して発光回数を揃えるようにパルスを印加する。更に、本発明の第３の態様のプラズマディスプレイパネルの駆動方法は、維持放電期間の後の消去期間の前に残存電荷調整工程を設け、良好なリセットが行えるように残った電荷の極性と電荷量の少なくとも一方を調整するための残存電荷調整パルスを印加する。
【００２７】
すなわち、本発明の第１の態様のプラズマディスプレイパネルの駆動方法は、特開平９−１６０５２５号公報に開示された、平行に配置された第１及び第２の電極と、第１及び第２の電極に対して直交する形で配置された第３の電極とを有する表示パネルを備え、アドレス工程で第２と第３の電極に印加する走査パルスとアドレス信号により放電セルの選択を行い、維持放電工程で第１と第２の電極に維持放電パルスを印加して維持放電を行わせるプラズマディスプレイ装置であって、隣接する第１の電極と第２の電極の組に交互に逆相の維持放電パルスを印加することにより、第２の電極と第２の電極の一方の側の第１の電極との間で第１のスリットが形成され、第２の電極と第２の電極の他方の側の第１の電極との間で第２のスリットが形成され、第１のスリットと第２のスリットで発光表示を交互に繰り返すインターレース表示を行うプラズマディスプレイ装置の駆動方法であって、アドレス工程と維持放電工程の間に、アドレス工程での放電で蓄積された壁電荷の極性と電荷量の少なくとも一方を調整するための電荷調整パルスを印加する電荷調整工程を設けたことを特徴とする。
【００２８】
アドレス工程後の最初の放電が遅れることによる不完全な維持放電が生じないようにするには、維持放電パルスの幅より広い電荷調整パルスを印加する。
【００２９】
電荷調整工程は、前半アドレス工程の後と後半アドレス工程の後の両方で行うようにしてもよい。この場合、アドレス工程の終了後維持放電工程を開始するまでの期間、アドレス工程で形成された壁電荷による電圧と逆極性の電荷調整パルスを印加した状態を保持するようにすることが望ましい。
【００３０】
先に維持放電が発生する一方の放電スリットの２回目の放電により他方の放電スリットの壁電荷が消滅しないようにするには、各種の方法がある。例えば、前半アドレス工程と後半アドレス工程で選択されたスリットで、同時に放電を開始させるための電荷調整パルスを印加する。また、前半アドレス工程と後半アドレス工程で選択されたスリットを、ずれて放電を開始させるように電荷調整パルスを印加する。その場合、放電を起こすスリット以外のスリットには、アドレス工程及び電荷調整パルスで形成された壁電荷と逆の極性の電位差の小さい電荷調整パルスを印加する。
【００３１】
また、前半アドレス工程での放電で蓄積された壁電荷と後半アドレス工程での放電で蓄積された壁電荷との形成具合をあらかじめ比較しておき、電荷調整工程では、壁電荷の小さな方のスリットを先に放電させるように電荷調整パルスを印加すれば、維持放電がより確実に発生する。
【００３２】
更に、アドレス工程に放電スリットの選択を行わず、電荷調整工程で行うことも可能である。その場合には、アドレス工程では第１の電極に印加する電圧を相互に等しくし、電荷調整パルスで第１及び第２のスリットのいずれを表示するかを選択する。アドレス工程における放電は、第２と第３の電極間のみで行い、電荷調整工程では、第２の電極に蓄積された電荷を隣接するどちらのスリットの第２の電極に移動させるかを選択する電荷調整パルスを印加する。その場合、第３の電極を覆うように設けられた誘電体層の絶縁耐圧は低くすると、維持放電を起こすのに十分な電荷をアドレス時に形成できる。また、電荷調整パルスの電圧を維持放電パルスの電圧より大きくすることが望ましい。
【００３３】
本発明の第２の態様のプラズマディスプレイパネルの駆動方法は、同様に、特開平９−１６０５２５号公報に開示されたプラズマディスプレイ装置の駆動方法であって、第１のスリットと第２のスリットの各アドレス工程は、それぞれのスリットを飛越走査する前半アドレス工程と後半アドレス工程を有し、維持放電工程の後に、前半アドレス工程と後半アドレス工程のいずれか発光回数の少ないスリットに対して、発光回数を揃えるための発光回数調整工程を設けたことを特徴とする。
【００３４】
本発明の第３の態様のプラズマディスプレイパネルの駆動方法は、同様に、特開平９−１６０５２５号公報に開示されたプラズマディスプレイ装置の駆動方法であって、維持放電工程の後で、維持放電工程終了時に残った電荷を消去する消去工程を行う前に、残った電荷の極性と電荷量の少なくとも一方を調整するための残存電荷調整パルスを印加する残存電荷調整工程を設けたことを特徴とする。
【００３５】
第２及び第３の態様のプラズマディスプレイパネルの駆動方法では、残存電荷調整パルスを印加する直前の維持放電パルスの幅は他の維持放電パルスの幅より長くすることが望ましい。また、残存電荷調整パルスにより放電を起こす以外のスリットには、前記維持放電工程で形成された電荷による電圧と逆極性のパルスを印加することが望ましい。更に、残存電荷調整パルスにより放電を起こす以外のスリットには、放電を起こすスリットより小さな電圧を印加することが望ましい。
【００３６】
【発明の実施の形態】
図７は本発明の第１実施例のプラズマディスプレイパネル（ＰＤＰ）の駆動シーケンスを示す図である。対象となるＰＤＰは、特開平９−１６０５２５号公報に開示されたプラズマディスプレイ装置であり、その基本的な駆動方法についてはすでに説明しているので、ここでは異なる点についてのみ説明を行う。なお、図中で、Ａはアドレス放電を、Ｔは電荷調整パルスを、Ｓは維持放電を示す。更に、他の実施例もこのＰＤＰを対象としており、同様に説明は省略する。
【００３７】
図５と比較して明らかなように、後半アドレス期間と維持放電期間の間に電荷調整期間が設けられている。この電荷調整期間の放電も維持放電と同様に輝度に寄与するため、電荷調整期間は維持放電期間の最初の部分に相当する。図示のように、電荷調整期間で印加される電荷調整パルスは、従来の維持放電パルスと同様の極性と強度を有するが、維持放電パルスに比べて幅が長い点が異なる。このような電荷調整パルスを印加することにより、従来と同様に、奇数表示スリットのＹ電極の電位が立ち上がると、奇数表示スリットの最初の放電Ｔ１１１が遅れて発生する。次に維持放電パルスの極性が切り替わり、奇数番目の奇数表示スリットでは２回目の維持放電１１２が直ちに行われるが、偶数番目の奇数表示スリットでは最初の維持放電であるため放電１１３が遅れて発生する。しかし、電荷調整パルスの幅は長いため、放電１１３が発生した後、次の維持放電パルスで極性が切り替わるまで時間があるので、放電１１３の遅れが次の維持放電パルスの影響を受けることはない。
【００３８】
このように、電荷調整期間で印加される電荷調整パルスの幅を維持放電パルスに比べて長くすることにより、すなわち、最初の維持放電パルスを長くすることにより、最初の維持放電が遅れることにより次の維持放電パルスの影響を受けることがなくなり、すべての表示スリットで良好な維持放電が行えるようになる。
【００３９】
図８は、本発明の第２実施例のＰＤＰの駆動シーケンスを示す図である。この実施例は、前半アドレス期間の後に電荷調整期間を設け、奇数番目の奇数表示スリットに１パルスだけ電荷調整パルスを印加する。これにより、前半アドレス期間で蓄積された奇数番目の奇数表示スリットのＸ電極とＹ電極の電荷は、交換される。すなわち、アドレスでは、Ｘ電極に負の電荷が蓄積され、Ｙ電極に正の電荷が蓄積されるが、電荷調整パルスにより、Ｘ電極に正の電荷が蓄積され、Ｙ電極に負の電荷が蓄積される。この時、偶数番目の奇数表示スリット側では、電荷調整パルスは印加されないので、何も起きない。この後、後半アドレス期間で偶数番目の奇数表示スリットのＸ電極とＹ電極に電荷が蓄積される。この時点で奇数番目の奇数表示スリットのＸ電極とＹ電極の電荷は、偶数番目の奇数表示スリットのＸ電極とＹ電極の電荷と逆極性であるので、図示のような偶数番目の奇数表示スリットを先に放電させる維持放電パルスを印加すると、両方の奇数表示スリットで同時に維持放電が発生する。
【００４０】
なお、第１実施例と同様に、後半アドレス期間後の最初の維持放電パルスの幅を他の維持放電パルスの幅より長くすれば、偶数番目の奇数表示スリットの最初の維持放電の遅れの影響をなくせる。
【００４１】
図９は、本発明の第３実施例のＰＤＰの駆動シーケンスを示す図である。この実施例では、第２実施例と同様に前半アドレス期間の後に電荷調整期間を設け、更に奇数番目の奇数表示スリットに電荷調整パルスを印加した後、後半アドレス期間が終了するまで、Ｙ電極の電位を中間レベルに保持する。これにより、奇数番目の奇数表示スリットに蓄積された電荷が後半アドレス期間中に消滅するのが防止できる。なお、中間レベルは、０Ｖと維持放電パルスの電圧の間で、適宜設定する。
【００４２】
図１０は、本発明の第４実施例のＰＤＰの駆動シーケンスを示す図である。この実施例では、後半アドレス期間と維持放電期間の間に電荷調整期間が設けられており、奇数表示スリットの両方のスリットで同時に放電を起こさせる電荷調整パルスを印加したあと、奇数表示スリットの一方のスリットに印加されるパルスの極性を変える。図では、偶数番目の奇数表示スリットでのパルスの極性が変えられており、この極性を変える時に偶数番目の奇数表示スリットで放電は発生する。この後の維持放電期間は従来と同じである。
【００４３】
第４実施例では、電荷調整パルスを印加することにより、偶数表示スリットで放電が生じやすい電圧が印加されることになるが、蓄積されている電荷による電圧は逆極性なので放電は発生しない。
【００４４】
図１１は、本発明の第５実施例のＰＤＰの駆動シーケンスを示す図である。この実施例では、後半アドレス期間と維持放電期間の間に電荷調整期間が設けられ、奇数表示スリットで最初の放電を別々に発生させた後、極性を調整してから維持放電期間に入る。具体的には、奇数番目の奇数表示スリットに電荷調整パルスを印加して最初の放電Ｔ１を発生させる。この時、偶数番目の奇数表示スリットには、保持している電荷と逆極性のパルスを印加する。その後、偶数番目の奇数表示スリットに電荷調整パルスを印加して最初の放電Ｔ２を発生させる。放電Ｔ２を発生させる時、奇数番目の奇数表示スリットには電荷調整パルスを印加しないので、奇数番目の奇数表示スリットでは放電は発生せず、偶数番目の奇数表示スリットの電荷が消滅することもない。その後、奇数番目の奇数表示スリットに印加しているパルスの極性を反転させた後、通常の維持放電期間に入る。このように、最初の放電が両方の奇数表示スリットで別々に行われるため、電荷の消滅は生じない。
【００４５】
図１２は、本発明の第６実施例のＰＤＰの駆動シーケンスを示す図である。この実施例は、第５実施例において、偶数番目の奇数表示スリットで最初の放電Ｔ２を発生させる時に、奇数番目の奇数表示スリットに印加する電圧を低くしたものである。これにより、偶数表示スリットで放電が発生する可能性を低減している。
【００４６】
図１３は、本発明の第７実施例のＰＤＰの駆動シーケンスを示す図である。この実施例は、第１実施例において、偶数番目の奇数表示スリットで先に最初の放電を起こさせるようにしたものである。奇数番目と偶数番目のどちらの奇数表示スリットで先に最初の放電を行わせるかは、あらかじめ奇数番目と偶数番目の奇数表示スリットのアドレス放電の大きさを比較しておき、アドレス放電の小さい方の表示スリットを先に放電させる。壁電荷の初期化方式により奇数表示スリットの奇数番目と偶数番目でアドレス放電の大きさに差が生じる。これは偶数表示スリットについても同じである。このような差があると壁電荷にも差が生じるが、アドレス期間後の最初の放電をアドレス放電の小さい方で行った方が電荷の消滅する可能性が低下する。これにより、駆動マージンを確保できる。
【００４７】
図１４は、本発明の第８実施例のＰＤＰの駆動シーケンスを示す図である。また、図１５は、第８実施例におけるスリット選択の原理を説明する図である。従来例及びこれまで説明した実施例では、前半アドレス期間と後半アドレス期間で奇数番目と偶数番目のどちらのＸ電極を高電位にするかで、放電スリットを選択していた。第８実施例では、この選択を電荷調整期間に行う。前半アドレス期間と後半アドレス期間ではＸ電極の電位は０Ｖに保持し、Ｙ電極に走査パルスを印加し、アドレス電極にアドレスパルスを印加してアドレス放電を行う。従って、アドレス放電をトリガとしたＸ電極とＹ電極の間の面放電は発生せず、電荷はＹ電極にのみ蓄積される。電荷調整期間では、奇数表示スリットと偶数表示スリットのどちらのスリットで放電を発生させるかを選択する。すなわち、Ｙ電極に蓄積された電荷と同じ極性の電荷調整パルスが印加された側のスリットで放電が発生し、逆極性の電荷調整パルスが印加された側のスリットでは放電が生じない。図では、最初の電荷調整パルスで奇数番目の奇数表示スリットが放電し、次の電荷調整パルスで偶数番目の奇数表示スリットが放電し、奇数表示スリットが選択される。
【００４８】
図１５に示すように、Ｙ１電極とＸ２電極を放電開始電圧より低い高電位に、Ｘ１電極とＹ２電極を０Ｖにすると、Ｙ１電極の電位は正の電荷の分が重畳されて放電開始電圧のしきい値を越える。従って、Ｘ１電極とＹ１電極の間で放電が起こるが、他の電極間の電圧は放電開始電圧のしきい値を越えないので、放電は発生しない。次にＸ１電極とＹ２電極を放電開始電圧より低い高電位に、Ｘ２電極とＹ１電極を０Ｖにすると、Ｘ２電極とＹ２電極の間で放電が起こる。このようにして奇数表示スリットが選択される。
【００４９】
図１６は、本発明の第９実施例のＰＤＰの駆動シーケンスを示す図である。第９実施例では、第８実施例に比べて、電荷調整期間に印加する電荷調整パルスの電圧を大きくしている。上記のように、第８実施例では、アドレス放電はＹ電極とアドレス電極の間の対向放電のみであり、形成する壁電荷が小さい。そのため、維持放電を起こしにくい。そこで、第９実施例では、電荷調整パルスの電圧を高くして最初の放電を起きやすくしている。一旦放電が起きれば、後の維持放電パルスは従来通りの電圧でよい。
【００５０】
図１７は、本発明の第１０実施例のＰＤＰの駆動シーケンスを示す図である。第１０実施例では、前半アドレス期間でアドレスされるスリットと後半アドレス期間でアドレスされるスリットの発光回数を一致させる。図５の従来例と比較して明らかなように、第１０実施例では、維持放電期間の終了後に回数調整パルスを印加して、維持放電回数の少ない方のスリットでのみ放電を発生させている。これにより、両方のスリットの発光回数が一致する。具体的には、図では、維持放電期間における奇数番目の奇数表示スリットの放電回数は４回であり、偶数番目の奇数表示スリットの放電回数は３回である。そこで、維持放電期間の終了後に、偶数番目の奇数表示スリットに回数調整パルス２０１を印加して、偶数番目の奇数表示スリットでのみ放電を発生させている。この時、偶数表示スリットの間にも電圧が印加されるが、蓄積されている電荷が電圧を低下させるので放電は発生しない。
【００５１】
図１８は、本発明の第１１実施例のＰＤＰの駆動シーケンスを示す図である。第１１実施例では、回数調整パルス２０１を印加する前に、残存電荷調整期間を設けている。この残存電荷調整期間は、維持放電期間の最後のパルスを長くした期間である。このような残存電荷調整期間を設けることにより、表示スリットの非放電側への影響による電荷の消滅や書込みをなくすことができ、良好なリセットが可能になる。
【００５２】
図１９は、本発明の第１２実施例のＰＤＰの駆動シーケンスを示す図である。第１２実施例では、第１０実施例で、一方の回数の少ないスリットに回数調整パルス２０１を印加する時に、他方のスリットには電荷が失われないようなパルスを印加する。これにより、次の消去工程における良好な消去が可能になる。
【００５３】
図２０は、本発明の第１３実施例のＰＤＰの駆動シーケンスを示す図である。第１３実施例では、第１３実施例で、一方の回数の少ないスリットに回数調整パルス２０１を印加する時に、他方のスリットには、電荷が失われないようにすると共に、別の表示スリットの電圧が小さくなるようなパルス２０５を印加する。具体的には、図示のように、偶数番目の奇数表示スリットのＸ電極には高電位を、Ｙ電極には０Ｖを、奇数番目の奇数表示スリットのＸ電極には高電位を、Ｙ電極には中間電位を印加する。これにより、奇数番目の奇数表示スリットの電荷が確実に保持され、偶数表示スリットで放電が発生することも確実に防止できる。
【００５４】
【発明の効果】
以上説明したように、本発明によれば、隣接するスリットで逆相の維持放電パルスを与えて維持放電を行うことにより、Ｙ電極と両側のＸ電極との間に表示スリットを形成する高精細なプラズマディスプレイパネルの駆動方法において、正常な表示が安定して行えるようになる。
【図面の簡単な説明】
【図１】本発明の適用されるプラズマディスプレイパネル（ＰＤＰ）の構成を示すブロック図である。
【図２】図１のパネルの断面構造を示す図である。
【図３】図１のＰＤＰの表示フレームの構成を示す図である。
【図４】図１のＰＤＰの駆動波形を示すタイムチャートである。
【図５】従来の問題点を説明する図である。
【図６】従来の問題点を説明する図である。
【図７】本発明の第１実施例の駆動波形を示すタイムチャートである。
【図８】本発明の第２実施例の駆動波形を示すタイムチャートである。
【図９】本発明の第３実施例の駆動波形を示すタイムチャートである。
【図１０】本発明の第４実施例の駆動波形を示すタイムチャートである。
【図１１】本発明の第５実施例の駆動波形を示すタイムチャートである。
【図１２】本発明の第６実施例の駆動波形を示すタイムチャートである。
【図１３】本発明の第７実施例の駆動波形を示すタイムチャートである。
【図１４】本発明の第８実施例の駆動波形を示すタイムチャートである。
【図１５】第８実施例の動作を説明する図である。
【図１６】本発明の第９実施例の駆動波形を示すタイムチャートである。
【図１７】本発明の第１０実施例の駆動波形を示すタイムチャートである。
【図１８】本発明の第１１実施例の駆動波形を示すタイムチャートである。
【図１９】本発明の第１２実施例の駆動波形を示すタイムチャートである。
【図２０】本発明の第１３実施例の駆動波形を示すタイムチャートである。
【符号の説明】
１…パネル
２、２−１、２−２…第１（Ｘ）電極
３−１、２−２…第２（Ｙ）電極
４−１、４−７…アドレス電極
１２、１２−１、１２−２…スキャンドライバ
１４…奇数Ｘサスティン回路
１５…偶数Ｘサスティン回路
１６…奇数Ｙサスティン回路
１７…偶数Ｙサスティン回路
４１…奇数Ｙスキャンドライバ
４２…偶数Ｙスキャンドライバ
【図１】
0003662239.tif 000002
【図２】
0003662239.tif 000003
【図３】
0003662239.tif 000004
【図４】
0003662239.tif 000005
【図５】
0003662239.tif 000006
【図６】
0003662239.tif 000007
【図７】
0003662239.tif 000008
【図８】
0003662239.tif 000009
【図９】
0003662239.tif 000010
【図１０】
0003662239.tif 000011
【図１１】
0003662239.tif 000012
【図１２】
0003662239.tif 000013
【図１３】
0003662239.tif 000014
【図１４】
0003662239.tif 000015
【図１５】
0003662239.tif 000016
【図１６】
0003662239.tif 000017
【図１７】
0003662239.tif 000018
【図１８】
0003662239.tif 000019
【図１９】
0003662239.tif 000020
【図２０】
0003662239.tif 000021